(57)【要約】      （修正有）【課題】効率よく冷気を送風すると共に、使用時には、静音性に優れ、また、不用意に身体一部を継続的に冷却することがない涼風装置を提供する。【解決手段】可搬なケースにファンと冷媒とを内蔵し、冷媒の冷気を可撓性のダクトを通じてケース外に送風する涼風装置であって、ファンはシロッコファン２であり、その排気口２ｂにはダクト３の一端を接続すると共に、吸気口２ａに臨んで通気性を有する遮板９を介して冷媒１０を配置することで、シロッコファンが冷媒の冷気を直接的に吸気し、この冷気を直接的にダクトに排気するようにして冷気の送風効率を高めた。ケース１は防振性や断熱性を有する。静音性が高まり、ケースが身体に触れたとしても、触れた部分が不用意に冷やされるのを回避することができる。【選択図】図１
0003215697.tif 000002
【実用新案登録請求の範囲】
【請求項１】
可搬なケースにファンと冷媒とを内蔵し、前記冷媒の冷気を可撓性のダクトを通じてケース外に送風する涼風装置であって、前記ファンはシロッコファンであり、その排気口には前記ダクトの一端を接続すると共に、その吸気口に臨んで通気性を有する遮板を介して前記冷媒を配置したことを特徴とする可搬涼風装置。
【請求項２】
ケースは防振性を有する請求項１記載の可搬涼風装置。
【請求項３】
ケースは断熱性を有する請求項１または２記載の可搬涼風装置。
【考案の詳細な説明】
【技術分野】
【０００１】
この考案は、例えば熱中症対策として、身体の任意の部分に冷気を送風して冷却することができる可搬涼風装置に関する。
【背景技術】
【０００２】
暑熱下の作業時に熱中症を防止するものとして、特許文献１には、ケース内にファンと保冷材を内蔵し、保冷材の冷気をファンによって可撓性のダクトを通じて身体の任意の部分に送風する可搬式の冷却装置が開示されている。
【先行技術文献】
【特許文献】
【０００３】
【特許文献１】特開２０１２−２３７５３１号公報
【考案の概要】
【考案が解決しようとする課題】
【０００４】
特許文献１の冷却装置は、ケース内でファンと保冷材とが横並びに配置され、しかも、ファンはプロペラファンであり、ダクトと直結したものでない。したがって、運転時には、ケース内で冷気がかき乱され、その一部がダクトから外部に放出されるに過ぎず、冷気の送風効率が悪い。
【０００５】
また、プロペラファンは運転時の音が比較的大きく、また、上述したようにケース内で乱流が生じるため、静音性に劣り、その運転音によって作業に集中できない場合が生ずる。
【０００６】
さらに、特許文献１の冷却装置は、作業服内で使用することを前提としており、ケースと触れる身体部分をも冷却することを予定しているが、ケースを作業服内で保持できる身体部分は背中や腰回りなどに限られており、このような部分の継続的な冷却を望まない使用者には不適である。
【０００７】
本考案は上述した課題を解決するためになされたもので、その目的とするところは、効率よく冷気を送風すると共に、その使用時には、静音性に優れ、また、不用意に身体一部を継続的に冷却することがない涼風装置を提供することである。
【課題を解決するための手段】
【０００８】
上述した目的を達成するために本考案では、可搬なケースにファンと冷媒とを内蔵し、前記冷媒の冷気を可撓性のダクトを通じてケース外に送風する涼風装置であって、前記ファンはシロッコファンであり、その排気口には前記ダクトの一端を接続すると共に、その吸気口に臨んで通気性を有する遮板を介して前記冷媒を配置するという手段を用いる。
【０００９】
本考案によれば、冷媒がシロッコファンの吸気口の軸線上に位置するため、シロッコファンが冷媒の冷気を直接的に吸気するうえ、この冷気を直接的にダクトに排気する。したがって、ケース内で冷気がかき乱されることがなく、その送風効率が高い。
【００１０】
また、本考案ではファンとして静音性が高いシロッコファンを採用するが、ケースについても、例えば防振ゴム板や発泡スチロール板などの防振材を壁面に貼り付けた防振性のケースを採用することで、さらに静音性を高めることができる。
【００１１】
さらに、発泡スチロール板などでケースに断熱性を付与した場合は、ケース外と冷媒とを断熱するため、暑熱下でも冷媒の保冷時間を長く持続できると共に、可搬時に身体の一部を継続的に冷却するという不都合もない。
【考案の効果】
【００１２】
本考案によれば、効率よく冷気を送風すると共に、その使用時には、静音性に優れ、また、不用意に身体一部を継続的に冷却することがない可搬涼風装置を提供することができる。
【図面の簡単な説明】
【００１３】
【図１】本考案の一実施形態に係る可搬涼風装置のケース一部を切欠した分解斜視図
【考案を実施するための形態】
【００１４】
以下、本考案の好ましい実施の形態を添付した図面に従って説明する。図１は本考案の一実施形態に係る可搬涼風装置の一部を切欠した分解斜視図であって、同図中、１はケース、２はシロッコファン、３はダクト、４はバッテリー、５はコントローラである。ケース１はケース本体１ａと蓋体１ｂとを備え、開閉式としている。また、ケース１には、発泡スチロールなどの断熱材からなる断熱層６を設けて断熱性を付与すると共に、スポンジやゴムなどの緩衝材からなるクッション層７を積層し防振性を付与している。こうした断熱層６とクッション層７はケース本体１ａの底面及び周囲の四壁と、蓋体１ｂにも設けている。さらに、ケース本体１ａは仕切り８によってシロッコファン２等を収容する部屋とバッテリー４を収容する部屋とを仕切っている。なお、ケース１のサイズは、一例として、横２５ｃｍ、奥行き１５ｃｍ、高さ１０ｃｍほどとして、小さいリュックやウエストポーチに入れて持ち運べる大きさである。ただし、サイズはこれに限定されない。
【００１５】
このような構成のケース１に対して、シロッコファン２は吸気口２ａをケース本体１ａの開口側に向けて設置している。そして、この吸気口２ａに臨んで、板状のメッシュ材９、冷媒１０の順に載置し、その上を押さえ板１１で覆うように構成している。
【００１６】
メッシュ材９は、冷媒１０からの冷気を通過しつつ、冷媒１０がシロッコファン２の回転部に巻き込まれるのを防止するための通気性を有する遮板である。また、網目が均等なメッシュ材９は整流機能も有する。なお、その素材はプラスチック、金属、木材、繊維のいずれであってもよい。
【００１７】
冷媒１０は、冷気を自己放出するもので、典型的には保冷材が該当する。保冷材の場合、入手が容易で、再使用が可能であるため、最も簡便に冷媒１０を構成することができるが、氷嚢であってよく、さらには、バッテリー４で駆動するペルチェ素子によって冷媒１０を構成することも可能である。
【００１８】
押さえ板１１は、ケース本体１ａや蓋体１ｂに予め設けたクッション層７と同様、スポンジやゴムなどの緩衝材から構成することで、冷媒１０やメッシュ材９のガタつきを防止する機能を有する。
【００１９】
ダクト３は、シロッコファン２の排気口２ｂに一端が接続され、ケース本体１ａを貫通して、ケース１外に一定長を露出している。このダクト３は、使用者が身体の任意部分に吹出し口３ａを指向できるように可撓性を有する。具体的には、蛇腹チューブなどから構成することができる。また、図示しないが、クリップや洗濯ばさみなどを用いて吹出し口３ａを所望の箇所に固定することもある。そうすれば、使用者の両手が空き、作業に専念することができる。
【００２０】
バッテリー４は、シロッコファン２の電源であり、乾電池と充電池とを問わない。
【００２１】
コントローラ５は、シロッコファン２の駆動をオンオフするもので、さらにシロッコファン２の回転数を調整する機能をもたせることも可能である。このコントローラ５は有線によってバッテリー４に接続され、ケース１外から操作できるようにしている。したがって、使用者は手元でシロッコファン２の駆動を操作できるため簡便である。
【００２２】
こうした構成の可搬涼風装置によれば、ケース本体１ａに冷媒１０をセットし、蓋体１ｂを閉めて、適当なかばん類にケース１を収容して使用する。そして、コントローラ５を操作してシロッコファン２を駆動すれば、冷媒１０の冷気がメッシュ材９を通して吸気口２ａに取り込まれ、ダクト３の吹出し口３ａから放出される。この過程において、シロッコファン２はケース１内で吸気を行うのみであり、また、吸気口２ａの軸線上に冷媒１０が存在するため、ケース１内で気流を乱すことなく、冷媒１０の冷気をダイレクトに吸い込む。よって、冷気の送風効率が高い。
【００２３】
なお、本考案は上述した実施形態に限定されず、ケース１はプラスチックや段ボールなど、熱伝導性が小さく、保形性があり、軽量であることが好ましいが、金属製であってもよい。また、静音性や冷媒１０の保護のために防振性や断熱性を有することが好ましいが、クッション層７や断熱層６の採否は自由であり、ケース１の素材によっては、それそのものが防振性や断熱性を有する場合もある。さらに、ケース１の可搬態様は、既存のかばん類に収容する他、ケース１にショルダー紐やベルト、またはストラップを設けて、直接身に付けるようにすることも可能である。
【００２４】
さらに、ケース１に内蔵する冷媒１０として保冷材の数も、さらに増やせばそれだけ冷却能力と冷却時間を高めることができる。
【符号の説明】
【００２５】
１  ケース
１ａ  ケース本体
１ｂ  蓋体
２  シロッコファン
２ａ  吸気口
２ｂ  排気口
３  ダクト
３ａ  吹出し口
４  バッテリー
５  コントローラ
６  断熱層
７  クッション層
８  仕切り
９  メッシュ材
１０  冷媒
１１  押さえ板
【図１】
0003215697.tif 000003